(57)【特許請求の範囲】
【請求項１】
上部が開口になっており、半球状をなす容器本体と、
前記容器本体の外側に組合わされる上方が円形に開放されるか円形に変形し得るように開放された逆正多角錘台状をなす外装体と、を具備し、
前記外装体の上縁に周方向に沿って複数個に分割され、かつ内側に折返された係止爪を備え、該係止爪が前記容器本体の外周部に外周側に突出するとともに、円周方向に沿って複数個に分割された係止用突部によって係止され、
前記外装体に対して前記容器本体を回転させながら離脱する方向の力を加えると、前記係止爪が前記係止用突部の周方向の端部に乗上げて前記係止爪が前記係止用突部から外れることを特徴とする複合容器。
【請求項２】
前記係止爪は、根元側の方が先端側よりも長く、該係止爪の周方向の端部が傾斜していることを特徴とする請求項１に記載の複合容器。
【請求項３】
前記係止用突部の上部の段差の部位で前記係止爪の先端部を係止することを特徴とする請求項１に記載の複合容器。
【請求項４】
前記係止用突部は、上辺側の方が下辺側よりも長く、該係止用突部の周方向の端部が傾斜するとともに、緩やかに外周側に突出していることを特徴とする請求項３に記載の複合容器。
【請求項５】
前記容器本体の開放された上部開口が、前記容器本体に装着される蓋体によって閉塞されることを特徴とする請求項１に記載の複合容器。
【請求項６】
上部が開口になっており、内側の凹部内に物品を収納するようにした少なくとも上部が円形のカップ状容器本体と、
前記容器本体の外側に組合わされる上方が円形に開放されるか円形に変形し得るように開放された逆正多角錐台状または逆円錐台状をなす外装体と、
を具備し、前記外装体の上縁に周方向に沿って複数個に分割され、かつ内側に折返された係止爪を備え、該係止爪が前記容器本体の外周部に外周側に突出するとともに、円周方向に沿って複数個に分割された係止用突部によって係止され、
前記外装体に対して前記容器本体を回転させながら離脱する方向の力を加えると、前記係止爪が前記係止用突部の周方向の端部に乗上げて前記係止爪が前記係止用突部から外れることを特徴とする複合容器。
【請求項７】
前記係止爪は、根元側の方が先端側よりも長く、該係止爪の周方向の端部が傾斜していることを特徴とする請求項６に記載の複合容器。
【請求項８】
前記係止用突部の上部の段差の部位で前記係止爪の先端部を係止することを特徴とする請求項６に記載の複合容器。
【請求項９】
前記係止用突部は、上辺側の方が下辺側よりも長く、該係止用突部の周方向の端部が傾斜するとともに、緩やかに外周側に突出していることを特徴とする請求項８に記載の複合容器。
【請求項１０】
前記外装体は、底部開口を閉塞する底板を備え、該底板の外周部が折曲げられて周壁部を構成し、該周壁部が外装体の胴の下端と胴の下端の折返し部とによって挟着されて保持されることを特徴とする請求項８に記載の複合式容器。
【発明の詳細な説明】
【技術分野】
【０００１】
本発明は複合容器に係り、とくに容器本体と外装体とを組合わせて構成される複合容器に関する。
【背景技術】
【０００２】
実公平３−７３２２号公報には、上方が解放の円筒状で下部は有底の方形の外箱と、上記円筒状部に上から内挿されて係止するカップ状容器を組合わせてなる容器であり、上記外箱の上縁には内下方に折り曲げられる数個の爪片を有し、かつ下部に横に一周あるいは一部結合部を有するジッパー部が設けられ、上記カップ状容器のフランジ部直下には、上記外箱の爪片が入る幅の内方、凹んだ環状帯爪受部を有し、外箱にカップ状容器を上の開放部から挿入した際、外箱の爪片が上記カップの凹んだ環状帯爪受部に係止するように組合せてなる複合容器が開示されている。
【０００３】
このような容器は、カップ状容器と外箱とにそれぞれ別種の内容物を収納することができる構造になっている。また外箱の上縁の爪片がカップ状容器の環状帯爪受部に係合されるようになっているために、カップ状容器と外箱との分離が困難である欠点がある。すなわちカップ状容器の環状帯爪受部あるいは爪片の何れかが変形して爪片が環状帯爪受部から離脱するような力を与えなければ、両者を分離することができない。従って分離するのに大きな力を要し、場合によってはこのときに爪片あるいはカップ状容器の環状帯爪受部が破損する可能性がある。
【特許文献１】実公平３−７３２２号公報
【発明の開示】
【発明が解決しようとする課題】
【０００４】
本願発明の課題は、容器本体と外装体とを組合せて成る複合容器において、外装体に対して容器本体を容易に離脱できる複合容器を提供することである。
【０００５】
本願発明の別の課題は、大きな力を加えることなくしかも容器本体を外装体に対して容易に分離することができる複合容器を提供することである。
【０００６】
本願発明のさらに別の課題は、外装体に対して容器本体を周方向に回転させることによって、この容器本体を外装体から容易に分離できるようにした複合容器を提供することである。
【０００７】
本願発明のさらに別の課題は、断熱効果に優れる複合容器を提供することである。
【０００８】
本願発明のさらに別の課題は、外側に印刷等によって任意のきれいな表示を行ない得るようにした複合容器を提供することである。
【０００９】
本願発明のさらに別の課題は、内容物を容易にすくい取ることができるようにした複合容器を提供することである。
【００１０】
本願発明の上記の課題および別の課題は、以下に述べる本願発明の技術的思想、およびその実施の形態によって明らかにされよう。
【課題を解決するための手段】
【００１１】
本願の主要な発明は、上部が開口になっており、半球状をなす容器本体と、
前記容器本体の外側に組合わされる上方が円形に開放されるか円形に変形し得るように開放された逆正多角錘台状をなす外装体と、を具備し、
前記外装体の上縁に周方向に沿って複数個に分割され、かつ内側に折返された係止爪を備え、該係止爪が前記容器本体の外周部に外周側に突出するとともに、円周方向に沿って複数個に分割された係止用突部によって係止され、
前記外装体に対して前記容器本体を回転させながら離脱する方向の力を加えると、前記係止爪が前記係止用突部の周方向の端部に乗上げて前記係止爪が前記係止用突部から外れることを特徴とする複合容器に関するものである。
【００１２】
ここで、前記係止爪は、根元側の方が先端側よりも長く、該係止爪の周方向の端部が傾斜していてよい。また前記係止用突部の上部の段差の部位で前記係止爪の先端部を係止するようにしてよい。また前記係止用突部は、上辺側の方が下辺側よりも長く、該係止用突部の周方向の端部が傾斜するとともに、緩やかに外周側に突出していてよい。また前記容器本体の開放された上部開口が、前記容器本体に装着される蓋体によって閉塞されるようにしてよい。
【００１３】
本願の別の主要な発明は、上部が開口になっており、内側の凹部内に物品を収納するようにした少なくとも上部が円形のカップ状容器本体と、
前記容器本体の外側に組合わされる上方が円形に開放されるか円形に変形し得るように開放された逆正多角錐台状または逆円錐台状をなす外装体と、
を具備し、前記外装体の上縁に周方向に沿って複数個に分割され、かつ内側に折返された係止爪を備え、該係止爪が前記容器本体の外周部に外周側に突出するとともに、円周方向に沿って複数個に分割された係止用突部によって係止され、
前記外装体に対して前記容器本体を回転させながら離脱する方向の力を加えると、前記係止爪が前記係止用突部の周方向の端部に乗上げて前記係止爪が前記係止用突部から外れることを特徴とする複合容器に関するものである。
【００１４】
ここで、前記係止爪は、根元側の方が先端側よりも長く、該係止爪の周方向の端部が傾斜していてよい。また前記係止用突部の上部の段差の部位で前記係止爪の先端部を係止してよい。また前記係止用突部は、上辺側の方が下辺側よりも長く、該係止用突部の周方向の端部が傾斜するとともに、緩やかに外周側に突出していてよい。また前記外装体は、底部開口を閉塞する底板を備え、該底板の外周部が折曲げられて周壁部を構成し、該周壁部が外装体の胴の下端と胴の下端の折返し部とによって挟着されて保持されてよい。
【発明の効果】
【００１５】
本願の主要な発明は、上部が開口になっており、半球状をなす容器本体と、容器本体の外側に組合わされる上方が円形に開放されるか円形に変形し得るように開放された逆正多角錐台状をなす外装体と、を具備し、外装体の上縁に周方向に沿って複数個に分割され、かつ内側に折返された係止爪を備え、該係止爪が容器本体の外周部に外周側に突出するとともに、円周方向に沿って複数個に分割された係止用突部によって係止され、外装体に対して容器本体を回転させながら離脱する方向の力を加えると、係止爪が係止用突部の周方向の端部に乗上げて係止爪が係止用突部から外れるようにしたものである。
【００１６】
従ってこのような複合容器によると、外装体に対して容器本体を回転させながら離脱する方向に力を加えると、係止爪が係止用突部の周方向の端部に乗上げて係止爪が係止用突部から外れることになる。従ってこのような操作によって、複合式容器を構成する容器本体を外装体から容易に分離することが可能になり、このときに係止用突部が破損したり、あるいは係止用突部が変形したりすることがない。
【発明を実施するための最良の形態】
【００１７】
以下本願発明を図示の実施の形態によって説明する。図１は第１の実施の形態に係る複合容器の全体の構成を示すものであって、この複合容器は、図１および図３に示すように、成形体から成るほぼ半球状の容器本体１０と、この容器本体１０の外側に組合わされる板紙製の外装体１１と、上記容器本体１０の上部開口を閉塞するように取付けられる蓋体１２とから構成される。容器本体１０はその上部が上部開口１５になっており、この上部開口１５の周縁部がフランジ１６になっている。フランジ１６はその断面がほぼ円弧状に外側に屈曲している。そしてフランジ１６の下側には周方向に８つに分割された係止用突部１７が周方向に配列されている。なお係止用突部１７は、とくに図５に示すように、その上辺側の部分の方が下辺側よりも長くなっており、係止用突部１７の周方向の両端はそれぞれ傾斜部１８から構成されている。
【００１８】
次に上記容器本体１０の外側に組合わされる外装体１１について説明する。外装体１１は図２に示すような板紙原紙２０によって組立てられる。この板紙原紙２０は４枚の側板２１、２２、２３、２４から構成されており、組立てた場合には図１に示すように、その上縁がほぼ円形であってしかも下面が正方形の形状をなし、全体として逆角錐台状をなす箱体である。
【００１９】
側板２１、２３の下端には折曲げ線２５を介して底板２６が連設される。そして底板２６には斜めの折曲げ線２７を介して接合片２８が連設される。また側板２２、２４の下端には折曲げ線２９を介して補助板３０が連設される。この補助板３０の下面に、上記底板２６の側端の接合片２８が糊付けされるようになっており、これによって底部が折畳み可能に組立てられ、図１に示す形状の外装体１１が組立てられる。
【００２０】
またこの外装体１１の上端であって互いに隣接する両側の側板の接合部には、図２に示すように折曲げ線３３および切込み３４を介して内側へ折込み可能に係止爪３５が形成される。この係止爪３５は、板紙原紙２０によって外装体１１を組立てた場合に、図１に示すように内側へ突出するようになり、これによって係止爪３５によって容器本体１０の係止用突部１７を係止するようになっている。
【００２１】
次に上記容器本体１０の上部開口１５を閉じるように装着される蓋体１２について説明すると、この蓋体１２は、例えば透明なポリ塩化ビニル樹脂を用いて、真空成形あるいは圧空成形によって成形された、逆皿状の蓋体である。そしてこの蓋体１２の外周縁には、断面が逆Ｌ字状をなす係合部４０が形成される。
【００２２】
次に板紙２０によって外装体１１を組立てる動作について説明する。４枚の側板２１〜２４によってこの外装体１１の外周部を組立てる。そして接合片３１を反対側の側板２４の内表面に糊付けする。そして底部開口を底板２６によって閉塞するとともに、この底板２６に連設されている接合片２８を隣接する補助板３０に糊付けし、これによって底部開口を閉塞する。また折曲げ線３３のところで係止爪３５を内側に折込む。これによって図１に示すような外装体１１が組立てられる。
【００２３】
このような外装体１１は、図３に示すようにその内側に容器本体１０を受入れる。このときに容器本体１０の係止用突部１７の上部の段差の部位で外装体１１の係止爪３５を係止することになる。このときの状態が図４Ａおよび図５Ａに示され、４個所の係止爪３５が互いに隣接する一対の係止用突部１７の上部に係止されることになる。
【００２４】
このように容器本体１０と外装体１１とは、係止用突部１７と係止爪３５との係止構造によって互いに結合される。しかも必要に応じて、両者は容易に分離できる。
【００２５】
容器本体１０を外装体１１から離脱させる動作は、容器本体１０を外装体１１に対して相対的に回転させればよい。このような回転操作によって、図４Ｂおよび図５Ｂに示すように、外装体１１の係止爪３５が互いに隣接する係止用突部１７間を通過した後に、隣接する係止用突部１７の側端の傾斜部１８上に乗上げる。この状態が図４Ｂおよび図４Ｃに示される。従ってこの状態でさらに容器本体１０を外装体１１に対して回転させるとともに、容器本体１０を外装体１１に対して上下方向、すなわち離脱方向に引っ張ると、容器本体１０の係止用突部１７から係止爪３５が図４Ｃおよび図５Ｃに示すように離脱するようになり、これによって係止爪３５の先端部が係止用突部１７の上縁から離脱することになる。
【００２６】
このような構造によると、容器本体１０と外装体１１とを必要に応じて分離することが可能になり、このときに回転操作を行ないながら上下方向に力を加えるだけでよく、係止爪３５が破損したり、あるいは容器本体１０側の係止用突部１７が変形することがない。しかも容器本体１０の外側と外装体１１の内側との間には空気層が存在するために、このような空気層によって高い断熱性が付与される。
【００２７】
このような複合容器は、あんみつ等の甘味食品の充填用容器として利用される。またぜんざいやスープ等を充填して用いることができる。しかも食品を充填した場合に、容器本体１０がほぼ半球状をなしているために、内容物を最後まで容易にスプーン等で取出すことが可能になる。また外装体１１が板紙から構成されているために、その表面にきれいな印刷を任意に施すことができる。
【００２８】
次に別の実施の形態を図６〜図１０によって説明する。この実施の形態は、上記第１の実施の形態よりも高さ方向の寸法が深くなっており、ほぼカップ状の複合式容器に関するものである。そしてこの容器は、図６に示すように、成形体から成り、下方に比較的長い寸法を有し、しかも底部がほぼ半球状の曲面から成る容器本体１０と、この容器本体１０を受入れる逆８角錐台状の外装体１１とから構成されている。なお外装体１１は、上記容器本体１０のフランジ１６の下側の部分を収容するように、高さ方向に所定の寸法を有している。
【００２９】
まず容器本体１０について説明すると、この容器本体１０は、例えばポリエチレン樹脂によって真空成形または圧空成形された容器であって、上部開口１５の外周側の部分にフランジ１６が形成されるとともに、フランジ１６の外周側の部分が下方に湾曲している。またこの容器は、そのフランジ１６の下側において、外周側に一回り大きな部分が形成され、この部分上に、係止用突部１７が２２．５度間隔で円周方向に１６個形成されている。これらの係止用突部１７は、その下端側であってその円周方向の両側の部分がそれぞれ傾斜部１８から構成されている（図１０参照）。なお傾斜部１８を両側に備える係止用突部１７は、その横断面が図９に示され、展開した状態が図１０に示される。
【００３０】
これに対して外装体１１は、図７に示す板紙原紙２０を組立てて作られる。板紙原紙２０は８枚の側板４１〜４８を備える。これらの側板４１〜４８は、その上端側の幅方向の寸法の方が下端側の幅方向の寸法よりも大きくなっている。また左側の側板４８の左端には、接合片３１が連接されており、この接合片３１を反対側の側板４１に接合するようにしている。また上記板紙２０の側板４１〜４８の上端側の部分においては、側板４１と４２の境界部分、４３、４４の境界部分、４５、４６の境界部分、および４７、４８の境界部分にそれぞれ係止爪３５が連接されている。これらの係止爪３５は、折曲げ線３３を介して側板４１〜４８の上端に折曲げ可能に連接されている。しかも折曲げ線３３と連続するように、係止片３５の根元側にはスリット状の切込み３４が形成されている。
【００３１】
次にこのような板紙２０によって外装体１１を組立てる場合には、４枚の側板４１〜４８を順次折曲げるとともに、接合片３１を反対側の側板４１に接合する。これによって図６に示すような逆８角錐台状の外装体１１が組立てられる。この外装体１１の上部開口の周縁部には、折曲げ線３３によって内側に折曲げられた係止爪３５が配されることになる。
【００３２】
図８はこのような外装体１１内に成形体から成る容器本体１０を組合わせた状態を示している。ここで容器本体１０を外装体１１内に挿入すると、この外装体１１の係止爪３５が容器本体１０の係止用突部１７の上側に係止されることになる。この状態が図９Ａおよび図１０Ａに示される。このようにして容器本体１０と外装体１１は、それらの係止用突部１７と係止爪３５との係合構造によって、互いに結合された状態になる。
【００３３】
次にこのような容器本体１０と外装体１１とを分離する場合には、容器本体１０と外装体１１を互いに分離する方向に力を加えながら一方に対して他方を回転させる。すると図１０Ｂに示すように、外装体１１の係止爪３５の側端の傾斜部３６が、容器本体１０の係止用突部１７の側端に乗上げるようになり、これによって図９Ｂおよび図１０Ｂに示すように、係止爪３５と係止用突部１７との係合が解除されることになる。従ってこの状態でさらに容器本体１０を外装体１１に対して同方向に回転させることにより、図９Ｃおよび図１０Ｃに示すように、係止爪３５が容器本体１０の係止用突部１７上に完全に乗上げ、これによって容器本体１０を外装体１１から離脱させることが可能になる。
【００３４】
この実施の形態は、上記第１の実施の形態に比べて、容器本体１０の係止用突部１７の数が多くなっており、円周方向に２２．５度間隔で、１６個形成されている。従って任意の回転位置において、容器本体１０と外装体１１とを結合することが可能になり、とくに容器本体１０と外装体１１の結合動作が、単に軸線方向に互いに近接する方向に押圧するだけで達成される。従って組立て作業の簡便性が向上することになる。
【００３５】
次にさらに別の実施の形態を図１１および図１２によって説明する。この実施の形態は、上記第２の実施の形態をさらに変形したものであって、ここでは外装体１１として逆円錐台状のカップが用いられている。なおこの逆円錐台状のカップに組込まれる容器本体１０は上記第２の実施の形態と同様である。
【００３６】
外装体１１はほぼ扇形に打抜かれた原紙を巻くようにして組立てられるようになっており、しかもその底部開口が底板５１によって閉塞される。底板５１はその外周側の部分に下方に屈曲された周壁部５２を備え、この周壁部５２が、外装体１１の下端と、この下端の折返し部５３とによって挟着される。これによって底板１１は外装体１１の底部を閉塞した状態で固定されることになる。なおこのような外装体１１に対する容器本体１０の結合動作および分離動作は、上記第２の実施の形態と同様である。
【００３７】
以上本願発明を図示の実施の形態によって説明したが、本願発明は上記実施の形態によって限定されることなく、本願に含まれる発明の技術的思想の範囲内において各種の変更が可能である。例えば上記実施の形態における容器本体１０の係止用突部１７の数や配置位置、あるいは外装体１１の係止爪３５の形成位置等については、任意に変更可能である。
【産業上の利用可能性】
【００３８】
本願発明は、あんみつ、ぜんざい、その他の各種の甘味食品や、スープ等の液状食品の充填に用いて好適な容器に利用することができる。
【図面の簡単な説明】
【００３９】
【図１】第１の実施の形態に係る複合容器の分解斜視図である。
【図２】外装体を構成する板紙原紙の展開平面図である。
【図３】組立てられた状態の縦断面図である。
【図４】係止用突部から係止爪を離脱させて容器本体を外装体から外す動作を示す要部横断面図である。
【図５】係止爪を容器本体の係止用突部上に乗上げさせ、これによって係止爪を係止用突部から離脱させて容器本体を外装体から分離する動作を示す要部展開正面図である。
【図６】第２の実施の形態の複合容器の分解斜視図である。
【図７】同複合容器の外装体の展開平面図である。
【図８】同複合容器の組立てられた状態の縦断面図である。
【図９】係止用突部と係止爪との結合および離脱の構造を示す要部横断面図である。
【図１０】係止用突部と係止爪との係合および離脱の構造を示す要部正面図である。
【図１１】第３の実施の形態の外装体の外観斜視図である。
【図１２】同外装体を用いた複合容器の縦断面図である。
【符号の説明】
【００４０】
１０  容器本体
１１  外装体
１２  蓋体
１５  上部開口
１６  フランジ
１７  係止用突部
１８  傾斜部
２０  板紙原紙
２１〜２４  側板
２５  折曲げ線
２６  底板
２７  折曲げ線
２８  接合片
２９  折曲げ線
３０  補助板
３１  接合片
３３  折曲げ線
３４  切込み
３５  係止爪
３６  傾斜部
４０  係合部
４１〜４８  側板
５１  底板
５２  周壁部
５３  折返し部
【図１】
0004822533.tif 000002
【図２】
0004822533.tif 000003
【図３】
0004822533.tif 000004
【図４】
0004822533.tif 000005
【図５】
0004822533.tif 000006
【図６】
0004822533.tif 000007
【図７】
0004822533.tif 000008
【図８】
0004822533.tif 000009
【図９】
0004822533.tif 000010
【図１０】
0004822533.tif 000011
【図１１】
0004822533.tif 000012
【図１２】
0004822533.tif 000013